(57)【要約】  部屋分割照明デバイス１２０、１２２、部屋分割照明デバイスの使用、及び部屋分割照明デバイスを設置する方法が提供される。部屋分割照明デバイス１２０、１２２は、光放出手段を備える。部屋分割照明デバイス１２０、１２２は、部屋分割照明デバイス１２０、１２２のプライバシー動作モードで、人１１４、１１８がサブ空間１０４に近づく又は入るのを妨げるために空間１０２からサブ空間１０４を隔離するために使用される。光放出手段は、光を上方向に放出し、プライバシー動作モードでは、眩しい光を、光ビーム１０８の中に入る人又は目１１２、１１６が光ビーム１０８を横切る人１１４、１１８を妨害するための光ビーム１０８として放出するように構成される。光放出手段は、少なくとも１つの光源と、光再指向手段とを備える。光再指向手段は、少なくとも１つの光源から光を受け取り、少なくともプライバシー動作モードで、受け取られた光を光ビーム１０８として再指向するように構成される。
2014533421.tif 000002
【特許請求の範囲】
【請求項１】
部屋分割照明デバイスであって、前記部屋分割照明デバイスのプライバシー動作モードで、人がサブ空間に近づく又は入るのを妨げるために空間から前記サブ空間を隔離するための当該部屋分割照明デバイスは、
光を上方向に放出する光放出手段であって、プライバシー動作モードでは、光ビームの中に入る前記人、又は前記人の目で前記光ビームを横切る前記人を妨害するため前記光ビームの眩しい光を放出する光放出手段を含み、
前記光放出手段は、少なくとも１つの光源と、前記少なくとも１つの光源から光を受け取り、少なくとも前記プライバシー動作モードで、前記受け取られた光を前記光ビームとして再指向する光再指向手段と、を含む、
部屋分割照明デバイス。
【請求項２】
前記光ビームの平均輝度は、１０，０００Ｃｄ／ｍ２よりも大きい、請求項１に記載の部屋分割照明デバイス。
【請求項３】
前記光放出手段を支持するための基部を更に備え、前記基部の高さは、前記空間内にいて、椅子に座っている又は立っている人々同士の間の直接の視線を遮らない、請求項１に記載の部屋分割照明デバイス。
【請求項４】
前記光指向手段は、透明な導光構造を備え、前記透明な導光構造は、前記少なくとも１つの光源から前記光を受け取り、前記透明な導光構造は、前記上方向で前記透明な導光構造の内部に案内される光を出力する光アウトカップリング構造を備える、請求項１に記載の部屋分割照明デバイス。
【請求項５】
前記光アウトカップリング構造は、前記透明な導光構造の光放出面にある凹部及び／又は突起部である、請求項４に記載の部屋分割照明デバイス。
【請求項６】
前記光再指向手段は、レンズ、コリメータ、又は反射器である、請求項１に記載の部屋分割照明デバイス。
【請求項７】
前記部屋分割照明デバイスは、更に、前記空間から前記サブ空間を隔離しないための非プライバシー動作モードで動作する、請求項１に記載の部屋分割照明デバイス。
【請求項８】
前記光放出手段は、前記非プライバシー動作モードでは、前記サブ空間に近づこう又は入ろうとする前記人の目の経路に交差しない別の方向に前記光ビームを放出する、請求項７に記載の部屋分割照明デバイス。
【請求項９】
前記光放出手段は、更に、前記非プライバシー動作モードで、眩しくない光を前記上方向に放出する、請求項７に記載の部屋分割照明デバイス。
【請求項１０】
前記光放出手段の前記１つ又は複数の光源は、前記非プライバシー動作モードで、前記プライバシー動作モードに比べて減少された光束で光を放出する、請求項９に記載の部屋分割照明デバイス。
【請求項１１】
前記光放出手段は、前記非プライバシー動作モードでは、第１の光放出面に沿って光を放出し、前記プライバシー動作モードでは、第２の光放出面に沿って光を放出し、前記第２の光放出面は、前記第１の光放出面よりも小さい、請求項９に記載の部屋分割照明デバイス。
【請求項１２】
前記光放出手段は、前記プライバシー動作モードで放出される前記光ビームよりも広い光ビームを前記非プライバシー動作モードで放出する、請求項９に記載の部屋分割照明デバイス。
【請求項１３】
前記レンズ、前記コリメータ、又は前記反射器は、
前記プライバシー動作モードでは、光を放出する１つ又は複数の光源に対して第１の相対位置を有し、
前記非プライバシー動作モードでは、光を放出する１つ又は複数の光源に対して第２の相対位置を有し、
前記第１の相対位置は、前記第２の相対位置とは異なる、
請求項６及び１２に記載の部屋分割照明デバイス。
【請求項１４】
前記部屋分割照明デバイスがプライバシー動作モードで動作する場合に、人がサブ空間に近づく又は入るのを妨げるために空間から前記サブ空間を隔離する、請求項１に記載の部屋分割照明デバイスの使用。
【請求項１５】
部屋分割照明デバイスを空間内に設置する方法であって、前記部屋分割照明デバイスがプライバシー動作モードで動作する場合に、人がサブ空間に近づく又は入るのを妨げるために前記空間から前記サブ空間を隔離するための当該方法は、
‐部屋分割照明デバイスを提供するステップであって、前記部屋分割照明デバイスは、光を上方向に放出するための光放出手段を備え、プライバシー動作モードで、光ビームの中に入る前記人、又は前記人の目で前記光ビームを横切る前記人を妨害するため前記光ビームの眩しい光を放出し、前記光放出手段は、少なくとも１つの光源と、前記少なくとも１つの光源から光を受け取り、少なくとも前記プライバシー動作モードで、前記受け取られた光を前記光ビームとして再指向する光再指向手段とを備える、当該ステップと、
−前記サブ空間の境界線上又はその近くで前記上方向への前記光ビームを伝播させるために、前記サブ空間の前記境界線上又はその近くに前記部屋分割照明デバイスを設置するステップと、
を含む、方法。
【発明の詳細な説明】
【技術分野】
【０００１】
本発明は、空間からサブ空間を隔離するための部屋分割照明デバイスに関する。
【背景技術】
【０００２】
しばしば、オフィスでは、比較的多数の人々が１つの部屋で働いている。特に、オープンプラン型のオフィスでは、同じオープンプラン型のオフィスにいる他の人々によって人々が邪魔されるのを防ぐことは比較的難しい。従来、邪魔されることを望まない又はある程度のプライバシーを必要とする人々のデスクの周りに仕切り壁が配置される。
【０００３】
米国特許出願公開第２０１０／０１７７５３３号は、プライバシーパネルの後ろに位置する人のためのプライバシーを得るために使用されることがあるプライバシーパネルを開示する。プライバシーパネルの特定の実施形態において、このプライバシーパネルは、プライバシーを必要とする人と他の人々との間に位置決めされた透明なプレートである。透明なプレートは、透明なプレートの少なくとも１つの縁部に配置された光源を備え、光源は、動作状態である場合に、透明なプレート内に光を放出する。透明なプレートは、プレートを通して光を案内し、透明なプレートの表面の１つでの複数の位置に光アウトカップリング構造が配置され、光アウトカップリング構造は、案内される光を、当該の人から離れるように、他の人々に向けて再指向する。光源が動作状態である場合、他の人々は、透明なパネルから比較的大きな量の光を受け取り、透過プレートを光放出面のように感じる。他の人々は、透明プレートの後ろで何が起こっているか見ることができない。なぜなら、他の人々に向かって透明プレートによって放出される光は、当該の人の位置から他の人々に向かって透明プレートを透過される光に比べて比較的強いからである。従って、当該の人は、プライバシーを得る。光源が動作状態でない場合、さらなる光は出力（アウトカップリング）されず、通常の環境光のみが光透過プレートを通して２つの方向に放出され、オフィス内の全ての人が互いに見ることができる。
【０００４】
プライバシーパネルは、プライバシーパネルの後ろの人にプライバシーを提供する。しかしながら、プライバシーパネルが動作状態であるとき、他の人々は、プライバシーパネルが不透明の壁に見えるので、オフィスをより小さなオフィスとして感じる。特に、プライバシーパネルによって取り囲まれる人がオフィスの中央に位置するとき、プライバシーパネルが動作状態であるときには、オフィスがはるかに小さい部屋に細分化されているように感じられる。
【０００５】
プライバシーは、必ずしも、オフィス内の人々同士の視線が遮られなければならないことを意味しない。しばしば、オープンプラン型のオフィスでは、何らかのプライバシーを有することを望む人は、邪魔されないことを望むだけであり、これは、他の人々がその人に近づかない又は接近するべきではないことを意味する。しばしば、何らかのプライバシーを有することを望む人にとって、他の人々によって邪魔されなければ、その人が他の人々を見ることができるかどうか、及び他の人々がその人を見ることができるかどうかは問題でない。更に、効果的且つ効率的に仕事を行い、協働を促すために、オフィス内の全ての従業員の間の妨げのない視線が有利である。
【発明の概要】
【発明が解決しようとする課題】
【０００６】
本発明の目的は、邪魔されることを望まない特定の人に人々が近づくのを妨げ又は思い止まらせ、同時に、特定の人の近くにいない人々が、特定の人と人々とがいる空間全体にわたって妨げのない視界を有する部屋分割照明デバイスを提供することである。
【課題を解決するための手段】
【０００７】
本発明の第１の態様は、部屋分割照明デバイスを提供する。本発明の第２の態様は、部屋分割照明デバイスの使用を提供する。本発明の第３の態様は、部屋分割照明デバイスを設置する方法を提供する。有利な実施形態は、従属クレームで定義される。
【０００８】
本発明の第１の態様による部屋分割照明デバイスは、光放出手段を備える。部屋分割照明デバイスは、部屋分割照明デバイスのプライバシー動作モードで、人がサブ空間に近づく又は入るのを妨げるために空間からサブ空間を隔離するためのものである。光放出手段は、光を上方向に放出し、プライバシー動作モードでは、光ビームの中に入る人、又は人の目で光ビームを横切る人を妨害するため光ビームの眩しい光を放出するように構成される。光放出手段は、少なくとも１つの光源と、光再指向手段とを備える。光再指向手段は、少なくとも１つの光源から光を受け取り、少なくともプライバシー動作モードで、受け取られた光を光ビームとして再指向するように構成される。
【０００９】
部屋分割照明デバイスは、眩しい光を上方向に放出し、これは、サブ空間に向かって歩く人の目が、特定の位置で光ビームの中に入ることを意味する。人は、眩しい光を不快な光と感じて、光ビーム外の特定の位置に戻る。従って、眩しい光が、人々に対するバリアを形成し、人々が前記仮想線を横切る又は前記仮想領域に入るのを妨げる。従って、サブ空間内にいる人は、他の人によって邪魔されない。更に、光によって隔離が得られるので、目が光ビームの中にあるような位置にいない人々に対する（光学的）バリアは存在しない。従って、部屋分割照明デバイスは、オフィス内にいる人々同士の視線を妨げない。
【００１０】
部屋分割照明デバイスは、光を上方向に放出し、これは、光が空間の天井に向けて放出されることを意味する。「上方向」は、定義により、地表に対する垂線に厳密に平行ではないことに留意されるべきである。上方向は、少なくとも、第１の点で始まり、第１の点よりも地表から離れた第２の点で終わるベクトルに平行な方向である。光は天井に向けて放出され、天井が、衝突する光を完全には吸収しない限り、光の少なくとも一部が、空間を照明するために反射される。光は、場合によっては天井によって拡散反射され、これは、空間の拡散照明をもたらし、これは例えばオフィス内で好ましい。従って、部屋分割照明デバイスは、空間を照明するという追加の有利な効果を有する。
【００１１】
眩しい光はグレアをもたらし、これは、光ビームを覗く人が見え難くなることを意味するか、又は、光ビームを覗く人の目が、人の目が慣れている光の量よりも多くの光を受け取ることを意味する。これは、人にとって不快であり鬱陶しく感じられるものであり、従って、人は、グレアの影響をなくすために、光ビームを覗かないようにする。一般に、グレアは、比較的小さい光放出面によって高い光強度が放出されるときに感じられる。グレアは、煩わしい又は不快な明るさであることに留意されるべきである。明るさは、輝度に関係付けられる知覚的な質である。輝度は、可視光放出面によって特定の方向に放射される光の量である。従って、グレアは、光ビームでの光の輝度と周囲照明条件とのコントラストに関係付けられる。
【００１２】
眩しい光を有する光ビームは、必ずしも非常に狭い光ビームではない。光ビームの中心軸に対する最大の光放出角度は、２０度よりも大きいことがあり、更には３０度よりも大きいことがあるが、光ビームの幅は、邪魔されることを望まないサブ空間内の人に向かって眩しい光が直接放出されないように、また、サブ空間の境界線を越えて、境界線から十分に離れた人の目に向かって眩しい光が非常に遠くまで放出されないように制限されるべきである。
【００１３】
光ビームは、必ずしもあらゆる光放出角度で眩しい光を含むわけではない。少なくとも、中心軸に対して２０度よりも小さい光放出角度で、光ビームは、眩しい光を含む。
【００１４】
任意選択的に、光ビームの中心軸に対する最大の光放出角度は、４５度よりも小さい。
【００１５】
任意選択的に、光ビームの平均輝度は、１０，０００Ｃｄ／ｍ２よりも大きい。輝度は、可視光放出面によって特定の方向に放射される光の量である。人が光ビームを覗いたときに光放出面が直接見える場合、及び光再指向手段が光放出面を拡大又は縮小しない場合には、可視光放出面は、光源の放出面でよい。また、可視光放出面は、光ビームの光を放出する光再指向手段の幾つかの表面の合計でもよい。また、可視光放出面は、上記のオプションの組合せでもよく、光再指向手段で使用される特定の光学系によって拡大及び／又は縮小されることがある。平均輝度は、光ビームの幾つかの光放出方向の輝度の平均である。従って、平均輝度が１０，０００Ｃｄ／ｍ２よりも大きい場合、光ビーム内に、輝度が１０，０００Ｃｄ／ｍ２よりもかなり大きい幾つかの光放出方向が存在する。大半の人々は、１０，０００Ｃｄ／ｍ２よりも大きい輝度を眩しい光とみなし、その光を不快な光と感じる。
【００１６】
任意選択的に、光ビームの平均輝度は、３０，０００Ｃｄ／ｍ２よりも大きい。特に、光ビームが放出されるオフィスが明るく照明されている場合には、約１０，０００Ｃｄ／ｍ２の輝度を全ての人々が煩わしく感じるわけではない。３０，０００Ｃｄ／ｍ２よりも大きい輝度は、この状況でさえ、人間によって眩しい光と感じられる。一実施形態では、光ビームの光の最大輝度は、２０，００００Ｃｄ／ｍ２よりも小さい。
【００１７】
任意選択的に、部屋分割照明デバイスは、光放出手段を支持するための基部を備える。基部の高さは、空間内にいて、椅子に座っている又は立っている人々同士の間の直接の視線を遮らないように構成される。従って、基部は、目が光ビームの眩しい光の中にあるような位置に人々がいない限り、部屋内の人々が互いを見るのを妨げず、従って、人々の協働は基部によって制限されない。
【００１８】
任意選択的に、基部の高さは、１．３メートルよりも低い。任意選択的に、基部の高さは、１メートルよりも低い。
【００１９】
任意選択的に、光指向手段は、透明な導光構造を備える。透明な導光構造は、少なくとも１つの光源から光を受け取る。透明な導光構造は、上方向で透明な導光構造の内部に案内される光を出力するために、光アウトカップリング構造を備える。透明な導光構造は、空間内で座っている又は立っている人々同士の間の視線内に配置されることがある。透明な導光構造は透明であり、従って、人々は、透明な導光構造越しに見通すことができるので、人々同士の視界は遮られない。アウトカップリング構造は、眩しい光を有する上向きの光ビームが得られるように光を出力する。従って、人が透明な導光構造に近づきすぎる場合、その人の目が眩しい光を受け取り、その人は、サブ空間の方向に進み続けようとしない。逆に、目が眩しい光を受け取らないように後ろに下がる。
【００２０】
従って、透明な導光構造の高さは、空間内にいる人々の視線によって制限されない。従って、透明な導光構造は、耳障りな音がサブ空間内にいる人の邪魔にならないように一部遮断されるような高さを有することがある。
【００２１】
任意選択的に、光アウトカップリング構造は、透明な導光構造の光放出面にある凹部及び／又は突起部である。任意選択的に、凹部及び／又は突起部は、透明な切子面を備える。切子面は、凹部及び／又は突起部の平坦面である。
【００２２】
任意選択的に、光再指向手段は、レンズ、コリメータ、又は反射器である。これらの任意選択的な光再指向手段は、比較的製造が安価であり、比較的小さい。
【００２３】
任意選択的に、部屋分割照明デバイスは、更に、空間からサブ空間を隔離しないための非プライバシー動作モードで動作するように構成される。従って、プライバシー動作モードでの部屋分割照明デバイスによって提供されるプライバシーの量を有することを人が望まない場合、他方の動作モードが作動されることがある。これは、動作モードを選択するユーザによって行われることがあり、又は部屋分割照明デバイスは、プライバシー動作モード又は非プライバシー動作モードで部屋分割照明デバイスを動作させることが望ましいかどうか自動的に検出する。この自動検出は、例えば、（例えば存在／移動センサによって、又はサブ空間内にあるパーソナルコンピュータの活動を感知することによって）人がサブ空間内で仕事をしているかどうか検出することがある。
【００２４】
任意選択的に、光放出手段は、非プライバシー動作モードでは、サブ空間に近づこう又は入ろうとする人の目の経路に交差しない別の方向に光ビームを放出するように構成される。従って、眩しい光がやはり放出されるが、この放出される眩しい光は、サブ空間に接近する又はサブ空間に近づく人によって見られない。このオプションによれば、光はやはり上方向に放出され、その結果、光は、空間の天井によって反射されることがある。従って、非プライバシー動作モードでは、部屋分割照明デバイスは、空間のための照明システムとしても働く。
【００２５】
任意選択的に、光放出手段は、更に、非プライバシー動作モードで、眩しくない光を上方向に放出するように構成される。眩しくない光が上方向に放出される場合、目が眩しくない光の光ビームの中にあるような位置にいる人は、その光を不快な光と感じず、従って、その人は、サブ空間に入る又はサブ空間に近づく。この有利なオプションによれば、部屋分割照明デバイスは、非プライバシー動作モードで動作されるときにやはり光を上方向に放出し、従って、部屋分割照明デバイスは、依然として空間用の照明システムとしての追加の機能を有する。
【００２６】
任意選択的に、光放出手段の光源は、非プライバシー動作モードで、プライバシー動作モードに比べて減少された光束（フラックス）で光を放出するように構成される。光束の減少は、グレアの影響を減少させる効果的な方法である。これは更に、エネルギーを節約する。光束は、光源の総計の光出力である。
【００２７】
任意選択的に、光放出手段は、非プライバシー動作モードでは、第１の光放出面に沿って光を放出し、プライバシー動作モードでは、第２の光放出面に沿って光を放出する。第２の光放出面は、第１の光放出面よりも小さい。同じフラックスがより大きな光放出面に沿って放出される場合、光の輝度が減少される。輝度がより低い場合、グレアの影響が減少される。
【００２８】
任意選択的に、非プライバシー動作モードでは、プライバシー動作モードよりも多くの光源が光を放出し、また、非プライバシー動作モードでは、より多数の光源が個々に、プライバシー動作モードで光を放出する光源よりも少ない光を放出する。これもまた、輝度を低下させる。
【００２９】
任意選択的に、光放出手段は、プライバシー動作モードで放出される光ビームよりも広い光ビームを非プライバシー動作モードで放出するように構成される。同じ光束及び同じ光放出面積を使用すると、これは、より低い光源輝度、従ってより少ないグレアをもたらす。
【００３０】
任意選択的に、レンズ、コリメータ、又は反射器は、プライバシー動作モードでは、光を放出する１つ又は複数の光源に対して第１の相対位置を有し、非プライバシー動作モードでは、光を放出する１つ又は複数の光源に対して第２の相対位置を有する。第１の相対位置は、第２の相対位置とは異なる。光ビームの幅は、レンズ、コリメータ、又は反射器が光源に対して移動されるときに変化する。また、他の光ビーム形状が得られるように、異なる相対位置を有する光源の異なるグループをオンに切り替えることもできる。これらの任意選択的な特徴は、効果的であり、効率的であり、比較的低コストで実現されることがある。
【００３１】
任意選択的に、部屋分割照明デバイスは、更に、音マスキングデバイス又は音相殺デバイスを備え、プライバシー動作モードで、サブ空間外部の位置から発する音によって気が散ることを減らす。前述のように、部屋分割照明デバイスは、遮音も吸音も提供しないか、又は限られた程度でしか前記遮音若しくは吸音を提供しない。オフィスのサブ空間にいる人が邪魔されることを望まない場合、例えば、その人の同僚同士の会話によって邪魔されないことが有利である。音相殺デバイスは、特定の音の強度を局所的に減少させることができる。音マスキングデバイスは白色雑音を伝送し、この白色雑音は、サブ空間内に伝送される場合、サブ空間の外部から来る音をマスクする。白色雑音の音を意識が（一部）無視するので、人々は白色雑音によっては邪魔されない。
【００３２】
任意選択的に、デスクが設けられる。デスクは、部屋分割照明デバイスのプライバシー動作モードで眩しい光ビームを上方向に放出するための少なくとも１つの部屋分割照明デバイスを備える。部屋分割照明デバイスは、デスクの縁部に配置される。
【００３３】
任意選択的に、空間からサブ空間を隔離する方法が提供される。この方法は、人々がサブ空間に近づく又は入るのを妨げ、この方法は、プライバシー動作モードで、上方向で光ビームの眩しい光を放出するステップを含む。眩しい光は、光放出手段によって放出される。放出された光ビームは、サブ空間に近づこう又は入ろうとする人の目の経路に交差する。光放出手段は、ｉ）少なくとも１つの光源と、ｉｉ）少なくとも１つの光源から光を受け取り、プライバシー動作モードで、受け取られた光を光ビームに再指向する光再指向手段とを備える。
【００３４】
本発明の第２の態様によれば、本発明の第１の態様による部屋分割照明デバイスの使用が提供される。部屋分割照明デバイスは、空間からサブ空間を隔離するために使用される。
【００３５】
本発明の第３の態様によれば、部屋分割照明デバイスを設置する方法が提供される。空間内に部屋分割照明デバイスを設置する方法は、部屋分割照明デバイスがプライバシー動作モードで動作する場合に空間からサブ空間を隔離するために提供される。この方法は、ｉ）部屋分割照明デバイスを提供するステップを含み、部屋分割照明デバイスが、光を上方向に放出するための光放出手段を備え、プライバシー動作モードで、眩しい光を、光ビームの中に入る人又は目で光ビームを横切る人を妨害するための光ビームとして放出するように構成され、光放出手段が、少なくとも１つの光源と、少なくとも１つの光源から光を受け取り、少なくともプライバシー動作モードで、受け取られた光を光ビームとして再指向するように構成された光再指向手段とを備え、この方法は更に、ｉｉ）サブ空間の境界線上又はその近くで上方向への光ビームを得るために、サブ空間の境界線上又はその近くに部屋分割照明デバイスを設置するステップとを含む。
【００３６】
部屋分割照明デバイスの使用、及び部屋分割照明デバイスを設置する方法は、本発明の第１の態様による部屋分割照明デバイスと同じ利益を提供し、システムの対応する実施形態と同様の効果を有する同様の実施形態を有する。
【００３７】
本発明のこれら及び他の態様は、本明細書で以下に述べられる実施形態から明らかになり、実施形態を参照して説明される。
【００３８】
本発明の２つ以上の上記のオプション、実装形態、及び／又は態様が、有用と考えられる任意の様式で組み合わされてもよいことが、当業者によって理解されよう。
【００３９】
部屋分割照明デバイスの修正形態及び変形形態、及び／又は部屋分割照明デバイスの上記の修正形態及び変形形態に対応する方法は、本明細書における記載に基づいて当業者によって実施され得る。
【図面の簡単な説明】
【００４０】
【図１ａ】プライバシー動作モードでの、本発明の第１の態様による部屋分割照明デバイスの使用を概略的に示す図である。
【図１ｂ】プライバシー動作モードでの、本発明の第１の態様による部屋分割照明デバイスの使用を概略的に示す図である。
【図２ａ】非プライバシー動作モードでの部屋分割照明デバイスの使用の一実施形態を概略的に示す図である。
【図２ｂ】非プライバシー動作モードでの部屋分割照明デバイスの使用の一実施形態を概略的に示す図である。
【図３】部屋分割照明デバイス代替実施形態を概略的に表す図である。
【図４ａ】部屋分割照明デバイスの一実施形態の断面を概略的に示す図である。
【図４ｂ】部屋分割照明デバイスの一実施形態の断面を概略的に示す図である。
【図５ａ】コリメータを備える部屋分割照明デバイスの他の実施形態の断面を概略的に示す図である。
【図５ｂ】コリメータを備える部屋分割照明デバイスの他の実施形態の断面を概略的に示す図である。
【図６ａ】非プライバシー動作モードで、より大きな表面に沿って光を放出する部屋分割照明デバイスの一実施形態の断面を概略的に示す図である。
【図６ｂ】図６ａの実施形態の３次元図を概略的に示す図である。
【図７ａ】透明な導光構造を備える部屋分割照明デバイスの一実施形態を概略的に示す図である。
【図７ｂ】透明な導光構造を備える部屋分割照明デバイスの一実施形態を概略的に示す図である。
【図８】透明な導光構造を備える部屋分割照明デバイスの角度光放出プロファイルを表す図である。
【図９】透明な導光構造を備える部屋分割照明デバイスの角度光放出プロファイルを表す図である。
【図１０】透明な導光構造を備える部屋分割照明デバイスの角度光放出プロファイルを表す図である。
【発明を実施するための形態】
【００４１】
異なる図中に同じ参照番号によって示される要素は、同じ構造的特徴及び同じ機能を有する、又は同じ信号であることに留意されるべきである。そのような要素の機能及び／又は構造が既に説明されている場合、本項においてその説明を繰り返す必要はない。
【００４２】
図は、概略的なものにすぎず、正確な縮尺では描かれていない。特に、分かりやすくするために、幾つかの寸法が大きく誇張されている。
【００４３】
図１ａ及び図１ｂは、プライバシー動作モードでの、本発明の第１の態様による部屋分割照明デバイス１２０、１２２の使用を概略的に示す。空間１０２は、例えば、オープンプラン型のオフィスである。空間１０２内で、第１の人１０６は、自分のデスク１２１に座っており、仕事に集中しなければならないので邪魔されないことを望んでいる。従って、第１の人１０６は、自分のデスクの周りに、ある様式で空間１０２から隔離されるある種のサブ空間１０４を望む。第１の人１０６は、第２の人１１４及び第３の人１１８が自分のデスクに近づきすぎることを望まず、これは、第２の人１１４及び第３の人１１８がサブ空間に入ることを第１の人１０６が望まないことを意味する。他の人１１４、１１８が近づきすぎない場合、第１の人１０６は、彼らの存在によって気を逸らされず、第２の人１１４及び第３の人１１８が第１の人１０６と会話を始めることはより難しい。本発明の第１の態様によれば、部屋分割照明デバイス１２０、１２２が提供され、部屋分割照明デバイス１２０、１２２は、プライバシー動作モードで、眩しい光ビーム１０８を空間１０２の天井１１０に向けて上方向に放出する。図１ａ及び図１ｂの例では、２つの部屋分割照明デバイス１２０、１２２は、デスクの縁部に配置される。
【００４４】
眩しい光ビーム１０８は、サブ空間１０４の外に位置する第２の人１１４又は第３の人１１８が第１の人１０６に接近しようとする又はサブ空間１０４に入ろうとする場合に、それぞれの人１１４、１１８の目１１２、１１６が眩しい光ビーム１０８の中に入るような方向に配置される。これは、図１ｂに示される。第３の人１１８は、例えば会話を始めるために第１の人１０６に接近しようとする。第３の人１１８がサブ空間１０４に近づく又は入ると、第３の人１１８の目１１６は、眩しい光ビーム１０８からの光を受ける。眩しい光は、人々にとって不快であり、従って、第３の人１１８は、眩しい光が目１１６を射るのを嫌がる。第３の人１１８は、第１の人１０６の方に更に近づこうとは思わず、大抵は、目１１６が眩しい光ビーム１０８から眩しい光を受けないように後ずさりする。その結果、第３の人１１８は、第１の人１０６を邪魔しない。
【００４５】
従って、天井１１０に向かって放出される光ビームによって、空間１０２からのサブ空間１０４の隔離が得られる。第２の人１１４と第３の人１１８とは、光ビームが彼らの目１１２、１１６に入らないときには、依然として互いに見ることができる。なぜなら、眩しい光ビーム１０８は、第２の人１１４の目１１２と第３の人１１８の目１１６との間の直接の視線に沿って伝送される他の光に対するバリアではないからである。従って、例えば、第２の人１１４と第３の人１１８とは、互いに挨拶することができる。或いは、第２の人１１４が第３の人１１８を探している場合、わざわざサブ空間１０４の周りを通って歩く必要なく、第３の人１１８を見付けることができる。従って、空間１０２内の人々同士の協働及び目線は、部屋分割照明デバイス１２０、１２２が空間１０２からサブ空間１０４を隔離することによっては制限されない。
【００４６】
図１ａ及び図１ｂは、部屋分割照明デバイス１２０、１２２の断面を表す。特定の実施形態では、部屋分割照明デバイス１２０、１２２は、デスク１２１の縁部全体に沿って延びる細長い形状を有することがあり、これは、描かれている眩しい光ビーム１０８の断面が、描かれている図の平面に垂直な方向に延びることを意味する。他の実施形態では、部屋分割照明デバイス１２０、１２２は、比較的小さいボックスであり、このボックスは、デスク１２１の上面の幅よりも小さい長さを有し、例えば上下逆に配置されたピラミッドの形状を有する眩しい光ビーム１０８を放出する。
【００４７】
概略的に表される図１ａ及び図１ｂの動作モードは、プライバシー動作モードであり、これは、部屋分割照明デバイス１２０、１２２が、空間からのサブ空間の隔離を生じる特定のモードで動作することを意味する。即ち、プライバシー動作モードでは、サブ空間内にいる第１の人１０６は、第２の人１１４及び第３の人１１８が第１の人１０６を邪魔しないので、より高いプライバシーを得る。
【００４８】
部屋分割照明デバイス１２０、１２２は、空間１０２を照明するという第２の機能を有することがある。眩しい光ビーム１０８の光は、天井１１０に向けて放出され、大抵は天井１１０によって拡散反射される。拡散反射された光は、空間１０２内で好ましい照明を提供し、これは、第１の人１０６が仕事をする際に目の負担を軽減し、また、空間１０２内にいる全ての人（例えば第２の人１１４及び第３の人１１８）が互いに良く見えるようにする。部屋分割照明デバイス１２０、１２２が照明のために使用される場合、より少数の追加の照明システムが空間１０２内に設置されればよく、従って、これらの追加の照明システムに関するコストが節約されることがある。
【００４９】
追加の実施形態では、部屋分割照明デバイス１２０、１２２は、音相殺手段又は音マスキング手段１２４を備える。眩しい光ビーム１０８は、第１の人１０６にプライバシーを提供するが、音に対するバリアではない。従って、第２の人１１４及び／又は第３の人１１８が誰かと話している場合、第１の人１０６は、その音によって依然として邪魔されることがあり得る。音マスキング手段１２４は、サブ空間１０４内に白色雑音を伝送し、これにより、第１の人１０６は、空間１０２内にいる他の人々の会話によってあまり邪魔されなくなる。代替として、第１の人１０６の耳に届く他の音を相殺する特定の音を放出する音相殺手段が提供される。
【００５０】
部屋分割照明デバイスの光源は、特定の（光）フラックスを放出する。フラックスは、光源の総計の光出力である。光ビームでの光は、特定の輝度を有し、輝度は、部屋分割照明デバイスの可視光放出面によって特定の方向に放射される光の量である。輝度は、「明るさ」の知覚的な質に関連付けられ、明るさによって、用語「グレア」に関連付けられる。グレアは、煩わしい又は不快な明るさである。明るさとグレアとは、人間による特定の輝度の知覚に関係付けられ、従って、周囲光条件と光ビームの輝度とのコントラストに依存する。光放出面のサイズ及び光放出面までの距離も関与する。大きな距離での小さな明るい光源は、スパークリング(sparkling)と呼ばれ、多くの人々にとって眩しいとは知覚されない。ただし、これは非常に主観的なものである。光ビームの平均輝度が１０，０００Ｃｄ／ｍ２よりも大きい場合、大半の人々は、光ビームの光を眩しいとみなす。特定の明るい周囲照明条件下では、幾らかの人々は、光ビームの平均輝度が３０，０００Ｃｄ／ｍ２よりも大きい場合に、光ビームの光を眩しい光と感じる。平均輝度は、光ビーム内での異なる光放出方向の輝度の平均である。一実施形態では、光ビームの光の最大輝度は、２００，０００Ｃｄ／ｍ２よりも小さい。
【００５１】
図２ａ及び図２ｂは、非プライバシー動作モードでの部屋分割照明デバイス２０４、２０６の使用の２つの実施形態を概略的に示す。これら２つの図に示されるように、非プライバシー動作モードでは、第３の人１１８は、眩しい光によって妨害されないので、サブ空間に近づく又は入ることができる。
【００５２】
図２ａでは、部屋分割照明デバイス２０４、２０６は、第３の人１１８がサブ空間に近づく又は入るときに、第３の人１１８の目１１６の経路が眩しい光ビーム２０２内に入らないように、眩しい光ビーム２０２を別の方向に放出するように構成される。従って、第３の人１１８は、サブ空間１０４に入り、例えば第１の人１０６と会話を始めることができる。眩しい光ビーム２０２は、やはり天井に向けて放出され、従って、部屋分割照明デバイス２０４、２０６の光による空間１０２の照明は中断されない。
【００５３】
図２ｂでは、部屋分割照明デバイス２５２、２５４は、非プライバシー動作モードで光を放出しないように構成される。それにより、サブ空間１０４に入る人は誰も、眩しい光によって妨害されず、従ってサブ空間１０４に入って第１の人１０６と話しをする又は一緒に仕事をする。
【００５４】
図３は、部屋分割照明デバイス３０８、３１０の代替実施形態を概略的に表す。部屋分割照明デバイス３０８、３１０は、基部３０６、３１２を備え、基部３０６、３１２上に光源３０４、３１４が設けられる。少なくともプライバシー動作モードで、光源３０４、３１４は、透明な導光構造３０２、３１６内に光を放出する。透明な導光構造３０２、３１６は、眩しい光ビーム３１８が天井１１０に向けて上方向に放出されるように光アウトカップリング構造を有し、それにより、第２の人１１４又は第３の人１１８がサブ空間１０４に近づきすぎる又は入る場合に、それぞれの人１１４、１１８の目は、眩しい光ビーム３１８にさらされる。概略的に図示される透明な導光構造３０２、３１６は、透明な導光構造３０２、３１６のただ１つの面で光を放出する。他の実施形態では、透明な導光構造は、透明な導光構造の２つ以上の面で上方向に光を放出する。光が通過して放出される導光構造の表面は、空間１０２の床（又は天井１１０）に実質的に垂直に延びる表面である。
【００５５】
透明な導光構造３０２、３１６の透明な特性により、第２の人１１４と第３の人１１８との互いの視線は遮られない。透明な導光構造３０２、３１６の追加の利点は、それらが音に対するバリアを形成することである。従って、第１の人１０６は、あまり音を受け取らないので、さらなるプライバシーを得る。更に、部屋分割照明デバイス３０８、３１０の基部３０６、３１２は、透明でなくてもよいが、その場合には、基部３０６、３１２の高さは、空間内にいる（空間１０２内でデスクに座っている、又は立っている）人々同士の妨げのない視線が基部３０６、３１２によって遮られないように十分に低くなければならない。実用的な実施形態では、これは、基部３０６、３１２が、１．３メートル未満又は１メートル未満の高さを有するべきであることを意味する。
【００５６】
図４ａ及び図４ｂは、部屋分割照明デバイス４００、４５０の２つの実施形態の断面を概略的に示す。
【００５７】
図４ａは、レンズ４１６である光再指向手段を備える部屋分割照明デバイス４００を表す。部屋分割照明デバイス４００は、底部プレート４０６を備え、底部プレート４０６の上に、３つの光源４０８、４１０、４１２が設けられる。この上にレンズ４１６が提供され、レンズ４１６は、プライバシー動作モードで、眩しい光ビームが生成されるように、光源から受け取った光を再指向する。中央光源４１０は、比較的高い強度の光を放出することが可能である。プライバシー動作モードでは、中央光源４１０がオンに切り替えられ、眩しい光４０２が、眩しい光ビームとして上方向に放出される。非プライバシー動作モードでは、中央光源４１０は光を放出せず、左右の光源４０８、４１２が、（光源当たり）より低いフラックスで光を放出し、レンズ４１６は、その光を、眩しくない光４０４、４１４を有する２つの光ビームに再指向する。光源４０８、４１２当たりの放出される光フラックスは、中央光源４１０によって放出される光フラックスの約半分である。別の実施形態では、非プライバシー動作モードにおいて、中央光源４１０は、左右の光源４０８、４１２と共に、更に低い光フラックス、例えばプライバシー動作モードにおいて中央光源４１０によって放出されるフラックスの３分の１の光フラックスの光を放出する。
【００５８】
従って、非プライバシー動作モードでは、部屋分割照明デバイス４００によって放出される光ビームは、プライバシー動作モードで放出される光ビームよりも広い。また、非プライバシー動作モードで光を放出するレンズ４１６の面積は、プライバシー動作モードで光を放出するレンズの面積よりも大きい。
【００５９】
更に、部屋分割照明デバイスは、制御装置４１８を備え、制御装置４１８は、プライバシー動作モード又は非プライバシー動作モードで動作するように部屋分割照明デバイスを制御する。制御装置４１８は、例えば、ユーザがプライバシーを有することを望むか否かを示すユーザ入力を受信する。代替として、制御装置４１８は、センサ入力を受信し、センサ入力により、制御装置は、サブ空間内の人の存在を検出し、又は更に、サブ空間内で実行されている活動のタイプを検出し、それに従って光源を制御する。更に、制御装置４１８は、個々の光源４０８、４１０、４１２それぞれによって放出されるべき光の強度を制御する。
【００６０】
レンズ４１６は、ガラス、又はポリカーボネート（上に保護層が提供されて、比較的軟性のポリカーボネート層に対する擦過傷を防止する）やポリメチルメタクリレート（ＰＭＭＡ）など透明な合成材料から製造されることがある。
【００６１】
光源４０８、４１０、４１２は、例えば、発光ダイオード（ＬＥＤ）であるが、光源４０８、４１０、４１２の実施形態は、ＬＥＤに限定されない。光源４０８、４１０、４１２の他の実施形態は、有機発光ダイオード、蛍光管、又は従来の白熱ランプである。
【００６２】
図４ｂは、光再指向手段として反射器４５４を備える部屋分割照明デバイス４５０の断面を概略的に表す。部屋分割照明デバイスは、底部プレート４０６を備え、底部プレート４０６の上に光源４５６が設けられる。光源４５６の光は、反射器４５４によって受け取られ、反射器４５４は、（プライバシー動作モードで）光線の角度光放出方向を比較的狭い眩しい光ビーム４５２となるように上方向に再指向する。反射器４５４は、上方向及び下方向に移動可能である（４５８）。部屋分割照明デバイスが動作しなければならない動作モードに応じて、光源４５６と反射器４５４との相対距離を変えることによって、光ビームは、より広くされることも、より狭くされることもある。放出される光ビームがより広い場合、少なくとも平均輝度が減少するので、光はあまり眩しくない。サブ空間に入ることを望む人々は、そうすることの制限に直面しない。別の実施形態では、光源４５６は、部屋分割照明デバイスが非プライバシー動作モードで動作するときには光を放出しない。光源４５６の位置に対する反射器４５８の位置の制御は、制御装置（図示せず）によって行われることがあり、制御装置は、光源４５６に対する反射器４５４の所要の位置を示す制御信号をアクチュエータに提供する。反射器４５４は、反射コーティングが上に施された反射性金属又は合成材料から形成されることがある。
【００６３】
代替として（図示せず）、反射器４５４の光出射窓に拡散器が配置され、それにより、減少された輝度を有するより広い光ビームが放出される。
【００６４】
図５ａ及び図５ｂは、コリメータ５０２、５５２、５５８を備える部屋分割照明デバイス５００、５５０の２つの他の実施形態の断面を概略的に示す。
【００６５】
図５ａは、部屋分割照明デバイス５００を表し、この部屋分割照明デバイス５００は、底部プレート４０６を備え、底部プレート４０６の上にコリメータ５０２が取り付けられる。コリメータ５０２は、光透過性材料の固体構造である。光源５０４から受け取られた光は、透明材料を通して案内される。光がコリメータの側壁５０３の１つに衝突する場合、衝突する光は、全反射を受け、従って、側壁５０３は、案内される光に関する反射面として作用する。コリメータの光出射窓５０１で、光は、（光出射窓５０１に対する垂線に対して測定される）比較的小さい角度で、固体透明材料と周囲空気との界面に衝突し、これは、案内される光の出力をもたらす。従って、コリメータ５０２は、コリメートされた光ビームを生成し、この光ビームは、（放出される光強度に応じて）眩しい光を含むことがある。
【００６６】
光源５０４は、（コリメータの光入射窓に対して）上方向及び下方向に移動可能である（５０６）。相対位置に応じて、コリメータの光出射窓５０１を通して放出される光ビームは、比較的狭いか、又はわずかに広い。プライバシー動作モードでは、光源５０４の相対位置は、放出される光ビームが比較的狭くなるような相対位置となるように制御されて、放出される光ビームでの光の高いフラックスを得て、これは、光が人間によって眩しい光と感じられることを意味する。非プライバシー動作モードでは、光源５０４の相対位置は、放出される光ビームが比較的広くなるような相対位置となるように制御され、放出される光ビームでの光のフラックスは低くなり、これは、光が人間によって眩しい光と感じられないことを意味する。更に、非プライバシー動作モードでは、光源５０４によって放出される光強度は、より低くなるように制御されることがある。相対位置の制御及び／又は放出される光の強度の制御は、制御装置（図示せず）によって行われる。
【００６７】
図５ｂは、部屋分割照明デバイス５５０を表し、部屋分割照明デバイス５５０は、２つの光源５５４、５５６を備え、各光源５５４、５５６は、それぞれのコリメータ５５２、５５８を設けられる。サブ空間１０４の境界線が、概略的に示される。部屋分割照明デバイスがプライバシー動作モードで動作される場合、第１の光源５５４が光を放出し、第１のコリメータ５５２が、眩しい光を含む光ビームをサブ空間１０４から離れる方向に放出し、それにより、サブ空間に近づきすぎる又はサブ空間に入ろうとする人の目が眩しい光にさらされる。眩しい光が目を射るとき、これらの人は引き返し、サブ空間に入らない。部屋分割照明デバイスが非プライバシー動作モードで動作される場合、第２の光源５５６が光を放出し、第２のコリメータ５５８が、サブ空間内で内方向に光ビームを放出し、サブ空間に近づこう又は入ろうとする人は、人の目に心地良くなく、不快であり、煩わしい眩しい光ビームを通過しない。
【００６８】
図６ａは、非プライバシー動作モードで、より大きな表面に沿って光を放出する部屋分割照明デバイス６００の一実施形態を概略的に示す。部屋分割照明デバイス６００の底部プレート４０６上に光源６０８、６１２、６１４が提供され、各光源の上に、それぞれ光再指向手段６０６、６１０、６１８が設けられる。部屋分割照明デバイス６００がプライバシー動作モードで動作する場合、光源の１つだけが、比較的高い強度で光を放出する。例えば、プライバシー動作モードでは、光源６１２が、眩しい光ビーム６０２が得られるように高強度の光を放出する。非プライバシー動作モードでは、２つの光源６０８、６１４が、より低い強度で光を放出し、従って、眩しくない光を有する２つの光ビーム６０４、６１６が上方向に放出される。１つの光源６１２ではなく２つの光源６０８、６１４が光を放出する場合、部屋分割照明デバイス６００の光放出面が増加し、これは、あまり眩しくない光放出をもたらす。別の実施形態では、非プライバシー動作モードで、２つの他の光源６０８、６１４と共に光源６１２も光を放出するが、それらの光源は全て、プライバシー動作モードで中央光源６１２が放出するよりもはるかに低い光強度で光を放出する。
【００６９】
図６ａは、図６ｂの部屋分割照明デバイス６００のＡ−Ａ’線で取られた断面を示す。図６ｂは、図６ａの部屋分割照明デバイス６００の実施形態の３次元図を示す。光再指向手段を備える複数の光源が、アレイとして配置される。光源は、図６ａとの関連での上述した制御に従って、アレイの列Ｒ１、Ｒ２、Ｒ３毎に制御される。例えば、プライバシー動作モードでは、中央列Ｒ２での光源は、比較的高い強度の光を放出して、Ｖ字形の細長い光ビームを生成する。非プライバシー動作モードでは、光源の複数の列Ｒ１、Ｒ２、Ｒ３が、（光源当たりより低い光強度で）光を放出するように構成される。
【００７０】
別の実施形態（図示せず）では、光源Ｒ１、Ｒ２、Ｒ３の列の代わりに、（図６ｂの列Ｒ１、Ｒ２、Ｒ３の方向で）細長い形状の３つの光源と、細長いレンズとが設けられる。
【００７１】
図４ａ、図４ｂ、図５ａ、及び図５ｂは全て部屋分割照明デバイスの断面を表すこと、図６ａ及び図６ｂの論述に従って部屋分割照明デバイスが細長い形状を有することがあること、複数の光源がそれらの光再指向手段と共に列として配置されることがあること、並びに、１列での全ての光源が同時に制御されることに留意されるべきである。代替として、光源及び光再指向手段は、細長い形状を有する。
【００７２】
図７ａ及び図７ｂは、透明な導光構造７０２、７６２、７６４を備える部屋分割照明デバイス７００、７５０の２つの実施形態を概略的に示す。図３との関連で論じられるように、部屋分割照明デバイスは、空間とサブ空間との間の音伝送に対するバリアも形成する透明な導光構造を設けられることがある。
【００７３】
図７ａでは、部屋分割照明デバイス７００は、基部７０６を備え、基部７０６上に光源７０４が設けられる。光源７０４は、透明な導光構造７０２の光入射窓７０３に向かって光を放出する。透明な導光構造７０２に入る光は、上方向に案内される。導光構造７０２は、光アウトカップリング構造７０８を備え、案内される光が光アウトカップリング構造７０８に衝突する場合、その光は、少なくともプライバシー動作モードで、眩しい光を含む上方向に放出される光ビームの一部となるように特定の方向に出力される。非プライバシー動作モードでは、光の強度は、眩しい光の放出を妨げるように減少されることがある。出力された光線７１０の１つが、図７ａに概略的に描かれている。
【００７４】
図７ｂでは、部屋分割照明デバイス７５０は、基部７０６上に提供された２つの光源７５６、７５８を備え、更に、２つの透明な導光構造７６２、７６４を備える。第１の光源７５６によって放出される光は、第１の透明な導光構造７６２内に放出され、導光構造７６２は、その表面の１つに光アウトカップリング構造７５４を備え、光をアウトカップリングして上向きの光ビームを得て、この光ビームは、動作モードに応じて眩しい光を含むことがある。第１の光源７５６から発する（出力された）光線７５２の１つが、図７ａに概略的に示される。第２の光源７５８によって放出される光は、第２の透明な導光構造７６４によって受け取られ、第２の透明な導光構造７６４は、受け取られた光を上方向に案内する。第２の導光構造７６４は、第１の導光構造７６２とは逆側の表面に光アウトカップリング構造を備える。光アウトカップリング構造は、部屋分割照明デバイス７５０の各側に配置される。第２の光源７５８によって放出される光線７６０の１つが、図７ｂに概略的に描かれる。
【００７５】
更に、図７ｂには、サブ空間１０４の境界線が、破線で概略的に示される。プライバシー動作モードでは、少なくとも光源７５６が、比較的高い光強度で光を放出し、それにより、眩しい光を含む光ビームが、部屋分割照明デバイスの左側で得られる。眩しい光を有する光ビームは、人々がサブ空間１０４に近づく又は入るのを妨げる。非プライバシー動作モードでは、第１の光源７５６は、光を放出しないか、又はより低い強度で光を放出し、第２の光源７５８は、第１の光源７５６による光放出の減少を補償する。従って、全体の光放出は同じままであり、これは、部屋分割照明デバイス７５０が、そのデバイスが設けられる空間の照明システムの一部でもある場合に特に有利である。第２の光源７５８が光を放出する場合、上方向に放出される光ビームは、サブ空間１０４に近づこうとする人の目の方向には放出されず、従って、それらの人がサブ空間１０４に入るのを妨げない。
【００７６】
透明な導光構造７０２、７６２、７６４は、例えば、ガラス、又はポリメチルメタクリレート（ＰＭＭＡ）など透明な合成材料から製造されることがある。透明な合成材料は、透明な導光構造７０２、７６２、７６４の表面を保護するために、耐擦過コーティングでコーティングされることがある。アウトカップリング構造は、透明な導光構造７０２、７６２、７６４の表面にある突起部又は凹部でよい。光アウトカップリング構造の形状は、光が通過して出力される表面に対して、比較的小さい光放出角度で上方向に光を出力するように構成される。凹部及び突起部は、特定の突起部を得るための追加の材料を印刷すること、幾らかの材料を局所的にエッチング除去すること、又は透明な導光構造７０２、７６２、７６４の表面に特定の形状の溝を鋸引きすることなど、既知の技術を使用して製造されることがある。透明な導光構造７０２、７６２、７６４は、合成材料から製造される場合、例えば射出成形によって製造されることがある。金型キャビティは、突起部及び凹部を含む透明な導光構造７０２、７６２、７６４の形状を有することがある。
【００７７】
図８〜図１０は、それぞれ透明な導光構造８０２、９０２、及び１００２を備える部屋分割照明デバイスの角度光放出プロファイルを表す。
【００７８】
図８には、右側の関連のグラフ８１０と共に、特定の透明な導光構造８０２が左側に表される。光源８０４が透明な導光構造８０２内に光を放出する場合、光ビームが上方向に放出され、この光ビームは、グラフ８１０に表される特定の角度光強度分布を有する。グラフ８１０で、ｘ軸は、放出される光ビームの中心軸に対する角度を表す。ｙ軸は、正規化された光強度を表す。Ａ−Ａ’線に沿って、様々な角度αで、光強度は、線８０６によって表されるような正規化された強度を有する。図の平面に垂直な平面に沿って、及び放出される光ビームの中心軸に沿って、中心軸に対する角度βでの光強度が、線８０８で表される。これは、放出される光ビームが、Ａ−Ａ’線に沿って比較的狭い（−４０〜−１０度と１０〜４０度）２つのサブビームを備えること、及びビームの最大強度が比較的高いことを示す。（α＝０での中心軸を通る）図の平面に垂直な平面に沿って、光放出は比較的低い。
【００７９】
図９で、グラフ９１０は、透明な導光構造９０２の角度光強度分布を表す。Ａ−Ａ’線に沿って分布９０４が得られ、これもまた比較的狭く（−２０〜５度）、比較的高い強度ピークを有する。（α＝０での中心軸を通る）光ビームの中心軸を通る平面に沿った、図の平面に垂直な方向では、光放出分布９０６が得られる。この光放出分布９０６は、α＝０で放出される光の強度も比較的高いので、比較的高い値を有する。
【００８０】
グラフ１０１０には、Ａ−Ａ’線に沿った光強度分布１００４と、図１０の透明な導光構造１００２の平面に垂直な（及びα＝０での光ビームの中心軸を通る）線に沿った光強度分布１００６とが表される。透明な導光構造１００２が、その左側で、比較的強くて狭い光ビームを放出することが可能であることが分かる。
【００８１】
上述した実施形態は、本発明を限定するのではなく例示すること、及び添付の特許請求の範囲の範囲から逸脱することなく当業者が多くの代替実施形態を設計することができることに留意されるべきである。
【００８２】
特許請求の範囲において、小括弧で括られた任意の参照符号は、特許請求の範囲を限定するものとは解釈されないものとする。動詞「備える」及びその活用形の使用は、特許請求の範囲に記載されるもの以外の要素又はステップの存在を除外しない。要素の前の数量詞「１つの」は、複数のそのような要素の存在を除外しない。本発明は、幾つかの異なる要素を備えるハードウェアによって、及び適切にプログラムされたコンピュータによって実装されることがある。幾つかの手段を列挙する装置クレームにおいて、これらの手段の幾つかは、ハードウェアの同一の要素によって具現化されることがある。特定の手段が互いに異なる従属クレームに記載されているということだけでは、これらの手段の組合せを有利に使用することができないことを示さない。
【図１ａ】
2014533421.tif 000003
【図１ｂ】
2014533421.tif 000004
【図２ａ】
2014533421.tif 000005
【図２ｂ】
2014533421.tif 000006
【図３】
2014533421.tif 000007
【図４ａ】
2014533421.tif 000008
【図４ｂ】
2014533421.tif 000009
【図５ａ】
2014533421.tif 000010
【図５ｂ】
2014533421.tif 000011
【図６ａ】
2014533421.tif 000012
【図６ｂ】
2014533421.tif 000013
【図７ａ】
2014533421.tif 000014
【図７ｂ】
2014533421.tif 000015
【図８】
2014533421.tif 000016
【図９】
2014533421.tif 000017
【図１０】
2014533421.tif 000018
【国際調査報告】
2014533421.tif 000019
2014533421.tif 000020
2014533421.tif 000021
2014533421.tif 000022